【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
シャッター開口により入射光を受光素子に結像して画像データを生成する撮像手段と、
前記撮像手段の撮像方向に向けてフラッシュ発光する発光手段と、
前記シャッターを複数回連続して開口するように前記撮像手段を制御し、前記複数回の開口タイミングのうち２回目以降の前記開口タイミングで前記フラッシュ光を発光するように前記発光手段を制御する制御手段と、
前記発光手段が前記フラッシュ光を発光していない前記開口タイミングで前記撮像手段が前記結像により生成した前記画像データと、前記発光手段が前記フラッシュ光を発光している前記開口タイミングで前記撮像手段が前記結像により生成した前記画像データとを基に新たな画像データを生成する画像処理手段と
を有する撮像装置。
【請求項２】
前記シャッターの前記複数回の連続した開口タイミングで前記撮像手段が前記結像により生成した複数の前記画像データの動きベクトルを検出する動きベクトル検出手段
をさらに有し、
前記画像処理手段は、前記動きベクトル検出手段が検出した前記動きベクトルを基に、前記複数の画像データの位置ずれを補正した後に合成して前記新たな画像データを生成する
請求項１に記載の撮像装置。
【請求項３】
前記画像処理手段は、前記発光手段が前記フラッシュ光を発光していない前記開口タイミングで前記撮像手段が前記結像により生成した複数の前記画像データを合成して得た合成画像データと、前記発光手段が前記フラッシュ光を発光している前記開口タイミングで前記撮像手段が前記結像により生成した前記画像データとを基に前記新たな画像データを生成する
請求項１に記載の撮像装置。
【請求項４】
前記フラッシュ非発光中に前記撮像手段が前記結像により生成した第１の前記画像データに第１の補正処理を施して第１の補正画像データを生成し、前記フラッシュ発光中に前記撮像手段が前記結像により生成した第２の前記画像データに前記第１の補正処理とは異なる第２の補正処理を施して第２の補正画像データを生成する補正手段
をさらに有し、
前記画像処理手段は、前記補正手段が補正により生成した前記第１の補正画像データと前記第２の補正画像データとを基に前記新たな画像データを生成する
請求項１に記載の撮像装置。
【請求項５】
前記補正手段は、前記第１の画像データのゲインを上げる前記第１の補正処理を行い、前記第２の画像データのゲインを下げる前記第２の補正処理を行う
請求項４に記載の撮像装置。
【請求項６】
前記制御手段は、前記フラッシュ光を発光しないタイミングで前記シャッターを第１の時間だけ開口し、前記フラッシュ光を発光するタイミングで前記シャッターを第２の時間だけ開口するように、前記撮像手段を制御する
請求項１に記載の撮像装置。
【請求項７】
前記制御手段は、前記撮像手段の受光素子の受光感度を、前記フラッシュ光を発光するタイミングと、前記フラッシュ光を発光しないタイミングとで異なるように切り換える
請求項１に記載の撮像装置。
【請求項８】
前記制御手段は、前記フラッシュ光を発光するタイミングで前記撮像手段の前記シャッターにフォーカルプレーン動作を行わせる場合に、前記フラッシュ光をＦＰ発光するように前記発光手段を制御する
請求項１に記載の撮像装置。
【請求項９】
前記制御手段は、前記複数回の開口タイミングのうち最後の前記開口タイミングで前記フラッシュ光を発光するように前記発光手段を制御する
請求項１に記載の撮像装置。
【請求項１０】
ユーザによる１操作によって静止画撮像指示を入力する操作手段
をさらに有し、
前記制御手段は、前記操作手段が前記静止画撮像指示を入力すると、前記シャッターを複数回連続して開口するように前記撮像手段を制御する
請求項１に記載の撮像装置。
【請求項１１】
シャッター開口により入射光を受光素子に結像して画像データを生成する撮像手段と、
前記撮像手段の撮像方向に向けてフラッシュ発光する発光手段と、
前記シャッターを複数回連続して開口するように前記撮像手段を制御し、前記複数回の開口タイミングのうち任意の前記開口タイミングで前記フラッシュ光を発光するように前記発光手段を制御する制御手段と、
前記フラッシュ非発光中に前記撮像手段が前記結像により生成した第１の前記画像データに第１の補正処理を施して第１の補正画像データを生成し、前記フラッシュ発光中に前記撮像手段が前記結像により生成した第２の前記画像データに前記第１の補正処理とは異なる第２の補正処理を施して第２の補正画像データを生成する補正手段と、
前記補正手段が補正により生成した前記第１の補正画像データと前記第２の補正画像データとを基に新たな画像データを生成する画像処理手段と
を有する撮像装置。
【請求項１２】
シャッターを複数回連続して開口し、シャッター開口により入射光を受光素子に結像して画像データを生成する撮像方法であって、
フラッシュ光を被写体に照射しない状態で、前記シャッターを開口して画像データを生成する第１の工程と、
前記第１の工程に続いて、前記フラッシュ光を前記被写体に照射した状態で、前記シャッターを開口して画像データを生成する第２の工程と、
前記第１の工程の撮像で生成した画像データと、前記第２の工程の撮像で生成した画像データとを基に新たな画像データを生成する第３の工程と
を有する撮像方法。
【請求項１３】
シャッターを複数回連続して開口し、シャッター開口により入射光を受光素子に結像して画像データを生成する撮像方法であって、
フラッシュ光を被写体に照射しない状態で、前記シャッターを開口して画像データを生成する第１の工程と、
前記第１の工程に続いて、前記フラッシュ光を前記被写体に照射した状態で、前記シャッターを開口して画像データを生成する第２の工程と、
前記第１の工程で生成した前記画像データに第１の補正処理を施して第１の補正画像データを生成し、前記第２の工程で生成した前記画像データに前記第１の補正処理とは異なる第２の補正処理を施して第２の補正画像データを生成する第３の工程と、
前記第３の工程で生成した前記第１の補正画像データと、前記第３の工程で生成した前記第２の補正画像データとを基に新たな画像データを生成する第４の工程と
を有する撮像方法。
【手続補正２】
【補正対象書類名】明細書
【補正対象項目名】０００６
【補正方法】変更
【補正の内容】
【０００６】
第２の観点の発明の撮像装置は、シャッター開口により入射光を受光素子に結像して画像データを生成する撮像手段と、前記撮像手段の撮像方向に向けてフラッシュ発光する発光手段と、前記シャッターを複数回連続して開口するように前記撮像手段を制御し、前記複数回の開口タイミングのうち任意の前記開口タイミングで前記フラッシュ光を発光するように前記発光手段を制御する制御手段と、前記フラッシュ非発光中に前記撮像手段が前記結像により生成した第１の前記画像データに第１の補正処理を施して第１の補正画像データを生成し、前記フラッシュ発光中に前記撮像手段が前記結像により生成した第２の前記画像データに前記第１の補正処理とは異なる第２の補正処理を施して第２の補正画像データを生成する補正手段と、前記補正手段が補正により生成した前記第１の補正画像データと前記第２の補正画像データとを基に新たな画像データを生成する画像処理手段とを有する。
【手続補正３】
【補正対象書類名】明細書
【補正対象項目名】００３４
【補正方法】変更
【補正の内容】
【００３４】
画像補正部１０５は、例えば、ユーザによってあらかじめ設定された撮影条件に応じて補正を行うか否かを判断する（図９のステップＳＴ３１）。
また、画像補正部１０５は、動きベクトル検出部５５が検出した動きベクトルＭＶを基に補正の要否を判断したり、制御部４７が生成あるいは取得した露出情報を基に補正の要否を判断してもよい。
画像補正部１０５は、補正を要すると判断すると、画像メモリ２０から読み出した画像データｉｍ１〜Ｎの補正処理を行い、その結果を画像合成部６０に出力する（ステップＳＴ３２）。
画像補正部１０５は、補正処理として、例えば画像データのゲイン調整、γカーブ特性調整、ホワイトバランス調整の任意の組み合わせの処理を行う。
画像補正部１０５は、例えば、撮影された画像データＮ枚のうち、フラッシュ発光を伴わずに撮影された画像データＬ枚に対しては全体に明るくなるゲイン補正を行い、また同時に低輝度部の階調性を重視したγカーブ補正を行う。
一方、画像補正部１０５は、フラッシュ発光を伴って撮影されたＭ枚に対しては、明るさの補正は行わずに中輝度部の階調性を重視したγカーブ補正、及びフラッシュ光源に適したホワイトバランス調整を行う。
すなわち、画像補正部１０５は、画像データ相互の関係に関わりなく、任意の補正を任意の画像データに対して行うことができる。
また、画像補正部１０５は、Ｌ枚のフラッシュ発光を伴わずに撮像した画像データを合成した後に補正処理を行い、また、Ｍ枚のフラッシュ発光を伴って撮像した画像データを合成した後に補正処理を行う。その後、画像補正部１０５は、補正後の各合成画像を合成してもよい。